(57)【要約】【課題】ピックアップ移動量を増加させ、清掃部材を追加させただけの安価な構成で対物レンズの表面を清掃する。また、光ディスクの情報を読み始めるときと読み終わったときに、自動的に、対物レンズ（４１）の表面を清掃する。【解決手段】ピックアップ移動手段５は対物レンズ４１の移動を光ディスク１の径外に延長させ、光ディスク１の径外を移動する接眼レンズ４１の移動軌跡に重なるように配設されることにより接眼レンズ４１の表面を清掃する清掃部材１２を設け、光ディスク１より情報が読み取られないときは対物レンズを清掃部材１２に当接させる制御回路１０を備える。【選択図】　　　図２
2004127333.tif 000002
【特許請求の範囲】
【請求項１】
接眼レンズを有し情報が書き込まれたディスクより前記接眼レンズを介して情報を読み取るピックアップと、該ピックアップを前記ディスクのトラック方向に移動させるピックアップ移動手段を備えた光学式ディスク再生装置において、
前記ピックアップ移動手段は前記接眼レンズの移動を前記ディスクの径外に延長させ、前記ディスクの径外を移動する接眼レンズの移動軌跡に重なるように配設されることにより前記接眼レンズの表面を清掃する清掃部材を設けたことを特徴とする光学式ディスク再生装置。
【請求項２】
前記ピックアップが前記ディスクより情報が読み取らないときは前記接眼レンズが前記清掃部材に当接するようにピックアップを移動させる制御手段を備えたことを特徴とする請求項１に記載の光学式ディスク再生装置。
【請求項３】
清掃キーと、該清掃キーの操作に基づき前記接眼レンズの表面を前記清掃部材で清掃させる制御手段を備えたことを特徴とする請求項１に記載の光学式ディスク再生装置。
【発明の詳細な説明】
【０００１】
【発明の属する技術分野】
本発明は、ピックアップを清掃する光学式ディスク再生装置に関する。
【０００２】
【従来の技術】
清掃機構を追加して光学式ディスク再生装置のピックアップを清掃することが考えられた（例えば、特許文献１参照。）。
【０００３】
【特許文献１】
特開平６−８４１９６号公報（第２頁）
【０００４】
【発明が解決しようとする課題】
しかしながら、簡単な構成で安価にピックアップを清掃することができる光学式ディスク再生装置が要望された。
【０００５】
【課題を解決するための手段】
本発明の光学式ディスク再生装置はかかる点に鑑みなされたもので、前記ピックアップ移動手段は前記接眼レンズの移動を前記ディスクの径外に延長させ、前記ディスクの径外を移動する接眼レンズの移動軌跡に重なるように配設されることにより前記接眼レンズの表面を清掃する清掃部材を設ける。
【０００６】
【発明の実施の形態】
本発明の実施例の形態を図に基づき説明する。図１は、本発明の実施例の回路構成を示すブロック図である。（１）はＤＶＤ−ＲＯＭあるいはＣＤ−ＲＯＭのディスクである。ＤＶＤ−ＲＯＭはディスクの表面から約０．６ｍｍの位置に情報が書き込まれており、ＤＶＤ−ＲＯＭはディスクの表面から約１．２ｍｍの位置に情報が書き込まれている。（２）はターンテーブルであり、ディスク（１）が載置される。（３）はターンテーブル（２）を回転させるモータである。
【０００７】
（４）はレーザを放射するレーザダイオード（図示せず）、面に平行な光の成分を通過させ面に垂直な光の成分を反射させる偏ビームスプリッタ（図示せず）、光を平行にするコリメータレンズ（図示せず）、接眼レンズ（４１）、４つの領域の光の強弱を検出する４分割センサ（図示せず）、スピーカと同様の原理で接眼レンズをディスク（１）の面に遠ざけたり近づけたりするフォーカス用のアクチュエータ（４２）、スピーカと同様の原理で接眼レンズをディスク（１）の径方向（トラック方向）に微小移動させるトラッキング用のアクチュエータ（４３）を有する。
【０００８】
レーザダイオードから放射されたレーザは、偏ビームスプリッタによりディスク（１）方向に反射され、コリメータレンズにより平行となり、対物レンズ（４１）により集光されてディスク（１）に放射される。ディスク（１）で反射されたレーザは、対物レンズ（４１）と偏ビームスプリッタを介して４分割センサに照射され、４つの領域の光度が検出される。このように、ピックアップ（１）はディスク（１）に向けてレーザの焦点を放射し、ディスク（１）により反射されたレーザの光度を４つの領域に分けて検出する。そして、レーザの焦点はフォーカス方向に移動可能である。
【０００９】
（５）はピックアップ移動手段であり、後述の制御回路（１０）に基づきピックアップを光ディスク（１）の半径方向に移動させる。（６）はアンプであり、ピックアップより読み出された情報を増幅する。（７）は信号処理回路（ＤＳＰ）であり、ピックアップから読み出されて増幅された信号を、復調処理、誤り検出及び訂正処理などからなる第１のデジタル処理したり、復調処理、誤り検出及び訂正処理、アドレス情報（時間情報）の抽出処理などからなる第２のデジタル処理したりする。
【００１０】
（８）はピックアップ（４）用のサーボ回路であり、後述の制御回路（１０）に基づきピックアップ（４）のフォーカスサーボやトラッキングサーボを行う。
【００１１】
（９）はモータ部（３）用のサーボ回路であり、光ディスク（１）から再生された周波数情報によりモータ部（３）の回転速度が規定の速度になるように制御を行う。その回転制御は、光ディスク（１）がＤＶＤであればＺＣＬＶ（Ｚｏｎｅｄ　Ｃｏｎｓｔａｎｔ　Ｌｉｎｅａｒ　Ｖｅｌｏｃｉｔｙ）制御であり、光ディスク（１）がＣＤであればＣＡＶ（Ｃｏｎｓｔａｎｔ　Ａｎｇｌｅ　Ｖｅｌｏｃｉｔｙ）制御である。
【００１２】
（１０）はマイクロプロセッサとＲＯＭとＲＡＭからなる制御回路であり、各部を制御する。（１１）は清掃キーであり、対物レンズ（４１）の清掃の操作を行う。
【００１３】
図２は対物レンズ（４１）の移動を示す図である。図２において、Ａ１は対物レンズ（４１）が光ディスク（１）の最内周（ＴＯＣ領域の更に内側）に位置する状態を示し、Ｂ１は対物レンズ（４１）が光ディスク（１）のデータ領域の最外周に位置する状態を示し、Ｃ１は対物レンズ（４１）が清掃される位置にある状態を示し、Ｄ１はピックアップ（４）がディスクの情報を読み取らないホームポジション（初期位置）に位置する状態を示す。対物レンズ（４１）はＡ１の位置とＤ１の位置の間を移動する。
【００１４】
従来はＡ１をホームポジションとしてＡ１とＡ２の間をピックアップ（４）の対物レンズ（４１）が移動する。Ｄ１に示す如く、本発明は対物レンズ（４１）の移動を光ディスク（１）の径外に延長させる。
【００１５】
そして、Ｃ１に示す如く、光ディスク（１）の径外を移動する対物レンズ（４１）の移動軌跡に重なるように清掃部材（１２）を配設させる。清掃部材（１２）の材料は超極細繊維を緻密にからませた柔らかい布（エクセーヌ）である。
【００１６】
制御回路（１０）は、Ｄ１の位置が対物レンズ（４１）のホームポジションとなるようにピックアップ移動手段（５）を制御する。従って、光ディスク（１）の情報を読み始めるときと読み終わったときに、自動的に、対物レンズ（４１）の表面が清掃部材（１２）と当接しては対物レンズ（４１）の表面が清掃される。
【００１７】
この構成は、ピックアップ（４）移動量を増加させ、清掃部材（１２）を追加させただけ構成であり、安価である。
【００１８】
また、制御回路（１０）は、清掃キー（１１）が操作されると、対物レンズ（４１）を清掃部材（１２）へ移動させる。この場合は、Ａ１の位置を対物レンズ（４１）のホームポジションにすることができる。
【００１９】
尚、トラッキング用のアクチュエータ（４３）により対物レンズ（４１）を移動させて清掃させてもよい。
【００２０】
また、フォーカス用のアクチュエータ（４２）の移動により対物レンズ（４１）と清掃部材（１２）の当接力を変化させてもよい。
【００２１】
【発明の効果】
上述の如く、本発明は、ピックアップ移動量を増加させ、清掃部材を追加させただけの安価な構成で対物レンズ（４１）の表面を清掃することができる。
【００２２】
更に、光ディスク（１）の情報を読み始めるときと読み終わったときに、自動的に、対物レンズ（４１）の表面が清掃される。
【図面の簡単な説明】
【図１】本発明の回路構成を示すブロック図である。
【図２】対物レンズの移動を示す図である。
【符号の説明】
１　ディスク
２　ターンテーブル
４　ピックアップ
８　ピックアップ用のサーボ回路
９　モータ用のサーボ回路
１０　制御回路
１１　清掃キー
１２　清掃部材
４１　対物レンズ
４２　フォーカス用のアクチュエータ
４３　トラッキング用のアクチュエータ
【図１】
2004127333.tif 000003
【図２】
2004127333.tif 000004